【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
第１無線通信方式による通信におけるスレーブ装置として動作し、前記第１無線通信方式による第１無線接続及び前記第１無線通信方式より通信速度が速い第２無線通信方式による第２無線接続を確立可能な通信装置であって、
前記第１無線通信方式に基づく信号を受信した外部装置から送信される接続要求情報を受信可能な所定の状態での動作を前記通信装置に開始させる第１通信手段と、
前記所定の状態での動作が前記通信装置によって開始された後、前記接続要求情報に基づいて前記第１無線接続を確立する第１確立手段と、
前記第１無線接続が前記通信装置によって確立されている状態で、前記第２無線接続を確立するための所定の処理を実行する実行手段と、
前記所定の処理が前記通信装置によって実行された場合、前記第２無線接続を確立する第２確立手段と、
前記第２無線接続が前記通信装置によって確立されている状態において、前記通信装置による前記所定の状態での動作が停止されており、且つ前記第２無線接続が確立される前に確立されていた前記第１無線接続が終了されているように前記通信装置を制御する制御手段と、
を有することを特徴とする通信装置。
【請求項２】
前記所定の状態は、前記第１無線通信方式に基づく信号を、前記通信装置の周囲に存在する前記外部装置に対しブロードキャストする状態であることを特徴とする請求項１に記載の通信装置。
【請求項３】
前記所定の状態は、Ｂｌｕｅｔｏｏｔｈ  Ｌｏｗ  Ｅｎｅｒｇｙ（登録商標）に基づくアドバタイズパケットを送信可能な状態であることを特徴とする請求項１又は２に記載の通信装置。
【請求項４】
前記第１無線通信方式に基づく信号は、前記第１無線接続を確立するための接続情報を含み、
前記送信された前記接続情報が、前記外部装置に受信された場合、前記接続要求情報が前記外部装置から送信され、
前記接続要求情報が受信された場合、前記通信装置は、前記第１無線接続を確立することを特徴とする請求項１乃至３のいずれか１項に記載の通信装置。
【請求項５】
前記第２無線接続が切断されたことにより前記第２無線接続が前記通信装置によって確立されていない状態において、前記所定の状態での動作を再度実行しているように前記通信装置を制御する装置制御手段を更に有することを特徴とする請求項１乃至４のいずれか１項に記載の通信装置。
【請求項６】
前記所定の状態での動作を再度実行しているように前記通信装置が、前記第２無線接続が切断されたことに基づいて制御されることを特徴とする請求項５に記載の通信装置。
【請求項７】
前記所定の状態での動作を再度実行しているように前記通信装置が、前記第２無線接続が切断された後の前記通信装置に対するユーザ操作に基づくことなく制御されることを特徴とする請求項５又は６に記載の通信装置。
【請求項８】
前記第２無線接続が前記通信装置によって確立されている状態において、前記第２無線接続が確立される前に確立されていた前記第１無線接続が終了されているように、前記通信装置が、前記第２無線接続が前記通信装置によって確立されたことに基づいて制御されることを特徴とする請求項１乃至７のいずれか１項に記載の通信装置。
【請求項９】
前記所定の処理は、前記第２無線通信方式に基づいて通信を行うための通信情報に関する前記外部装置との通信を、前記第１無線接続によって実行する処理であることを特徴とする請求項１乃至８のいずれか１項に記載の通信装置。
【請求項１０】
前記所定の処理は、前記第２無線通信方式に基づいて通信を行うための通信情報に関する前記外部装置との通信を、前記第１無線接続によって実行することなく、前記第２無線接続を確立するための処理であることを特徴とする請求項１乃至９のいずれか１項に記載の通信装置。
【請求項１１】
前記第２無線接続によって、前記外部装置とのデータ通信を実行する通信手段をさらに有し、
前記第２無線接続による前記外部装置との前記データ通信において、画像データが通信されることを特徴とする請求項１乃至１０のいずれか１項に記載の通信装置。
【請求項１２】
前記通信装置による前記所定の状態での動作が停止されており、且つ前記第２無線接続が確立される前に確立されていた前記第１無線接続が終了されているように前記通信装置が制御されている状態において、前記通信装置の状態を示す画面を前記外部装置に表示させるための表示制御手段をさらに有することを特徴とする請求項１乃至１１のいずれか１項に記載の通信装置。
【請求項１３】
前記第１無線通信方式は、Ｂｌｕｅｔｏｏｔｈ（登録商標）であることを特徴とする請求項１乃至１２のいずれか１項に記載の通信装置。
【請求項１４】
前記第２無線通信方式は、Ｗｉ−Ｆｉ（登録商標）であることを特徴とする請求項１乃至１３のいずれか１項に記載の通信装置。
【請求項１５】
前記通信装置は、プリンタであることを特徴とする請求項１乃至１４のいずれか１項に記載の通信装置。
【請求項１６】
前記通信装置は、デジタルカメラであることを特徴とする請求項１乃至１４のいずれか１項に記載の通信装置。
【請求項１７】
前記通信装置は、音楽再生デバイスであることを特徴とする請求項１乃至１４のいずれか１項に記載の通信装置。
【請求項１８】
第１無線通信方式による通信におけるスレーブ装置として動作し、前記第１無線通信方式による第１無線接続及び前記第１無線通信方式より通信速度が速い第２無線通信方式による第２無線接続を確立可能な通信装置の制御方法であって、
前記第１無線通信方式に基づく信号を受信した外部装置から送信される接続要求情報を受信可能な所定の状態での動作を前記通信装置に開始させる第１通信ステップと、
前記所定の状態での動作が前記通信装置によって開始された後、前記接続要求情報に基づいて前記第１無線接続を確立する第１確立ステップと、
前記第１無線接続が前記通信装置によって確立されている状態で、前記第２無線接続を確立するための所定の処理を実行する実行ステップと、
前記所定の処理が前記通信装置によって実行された場合、前記第２無線接続を確立する第２確立ステップと、
前記第２無線接続が前記通信装置によって確立されている状態において、前記通信装置による前記所定の状態での動作が停止されており、且つ前記第２無線接続が確立される前に確立されていた前記第１無線接続が終了されているように前記通信装置を制御する制御ステップと、
を有することを特徴とする制御方法。
【請求項１９】
前記所定の状態は、前記第１無線通信方式に基づく信号を、前記通信装置の周囲に存在する前記外部装置に対しブロードキャストする状態であることを特徴とする請求項１８に記載の制御方法。
【請求項２０】
前記所定の状態は、Ｂｌｕｅｔｏｏｔｈ  Ｌｏｗ  Ｅｎｅｒｇｙ（登録商標）に基づくアドバタイズパケットを送信可能な状態であることを特徴とする請求項１８又は１９に記載の制御方法。
【請求項２１】
前記第１無線通信方式に基づく信号は、前記第１無線接続を確立するための接続情報を含み、
前記送信された前記接続情報が、前記外部装置に受信された場合、前記接続要求情報が前記外部装置から送信され、
前記接続要求情報が受信された場合、前記通信装置は、前記第１無線接続を確立することを特徴とする請求項１８乃至２０のいずれか１項に記載の制御方法。
【請求項２２】
前記第２無線接続が切断されたことにより前記第２無線接続が前記通信装置によって確立されていない状態において、前記所定の状態での動作を再度実行しているように前記通信装置を制御する装置制御ステップを更に有することを特徴とする請求項１８乃至２１のいずれか１項に記載の制御方法。
【請求項２３】
前記所定の状態での動作を再度実行しているように前記通信装置が、前記第２無線接続が切断されたことに基づいて制御されることを特徴とする請求項２２に記載の制御方法。
【請求項２４】
前記所定の状態での動作を再度実行しているように前記通信装置が、前記第２無線接続が切断された後の前記通信装置に対するユーザ操作に基づくことなく制御されることを特徴とする請求項２２又は２３に記載の制御方法。
【請求項２５】
前記第２無線接続が前記通信装置によって確立されている状態において、前記第２無線接続が確立される前に確立されていた前記第１無線接続が終了されているように、前記通信装置が、前記第２無線接続が前記通信装置によって確立されたことに基づいて制御されることを特徴とする請求項１８乃至２４のいずれか１項に記載の制御方法。
【請求項２６】
前記所定の処理は、前記第２無線通信方式に基づいて通信を行うための通信情報に関する前記外部装置との通信を、前記第１無線接続によって実行する処理であることを特徴とする請求項１８乃至２５のいずれか１項に記載の制御方法。
【請求項２７】
前記所定の処理は、前記第２無線通信方式に基づいて通信を行うための通信情報に関する前記外部装置との通信を、前記第１無線接続によって実行することなく、前記第２無線接続を確立するための処理であることを特徴とする請求項１８乃至２６のいずれか１項に記載の制御方法。
【請求項２８】
前記第２無線接続によって、前記外部装置とのデータ通信を実行する通信ステップをさらに有し、
前記第２無線接続による前記外部装置との前記データ通信において、画像データが通信されることを特徴とする請求項１８乃至２７のいずれか１項に記載の制御方法。
【請求項２９】
前記通信装置による前記所定の状態での動作が停止されており、且つ前記第２無線接続が確立される前に確立されていた前記第１無線接続が終了されているように前記通信装置が制御されている状態において、前記通信装置の状態を示す画面を前記外部装置に表示させるための表示制御手段をさらに有することを特徴とする請求項１８乃至２８のいずれか１項に記載の制御方法。
【請求項３０】
前記第１無線通信方式は、Ｂｌｕｅｔｏｏｔｈ（登録商標）であることを特徴とする請求項１８乃至２９のいずれか１項に記載の制御方法。
【請求項３１】
前記第２無線通信方式は、Ｗｉ−Ｆｉ（登録商標）であることを特徴とする請求項１８乃至３０のいずれか１項に記載の制御方法。
【請求項３２】
前記通信装置は、プリンタであることを特徴とする請求項１８乃至３１のいずれか１項に記載の制御方法。
【請求項３３】
前記通信装置は、デジタルカメラであることを特徴とする請求項１８乃至３１のいずれか１項に記載の制御方法。
【請求項３４】
前記通信装置は、音楽再生デバイスであることを特徴とする請求項１８乃至３１のいずれか１項に記載の制御方法。
【請求項３５】
請求項１乃至１７のいずれか１項に記載の通信装置の各手段として、コンピュータを動作させるためのプログラム。
【手続補正２】
【補正対象書類名】明細書
【補正対象項目名】０００６
【補正方法】変更
【補正の内容】
【０００６】
本発明の目的は、第１無線通信方式による接続及び第１無線通信方式より通信速度が速い第２無線通信方式による接続を確立可能な通信装置が第２無線通信方式による接続を確立している状態において、第１無線通信方式に関する通信装置の挙動が適切に制御されるようにすることにある。
【手続補正３】
【補正対象書類名】明細書
【補正対象項目名】０００７
【補正方法】変更
【補正の内容】
【０００７】
そこで、上記目的を達成するために、本発明の通信装置は、
第１無線通信方式による通信におけるスレーブ装置として動作し、前記第１無線通信方式による第１無線接続及び前記第１無線通信方式より通信速度が速い第２無線通信方式による第２無線接続を確立可能な通信装置であって、
前記第１無線通信方式に基づく信号を受信した外部装置から送信される接続要求情報を受信可能な所定の状態での動作を前記通信装置に開始させる第１通信手段と、
前記所定の状態での動作が前記通信装置によって開始された後、前記接続要求情報に基づいて前記第１無線接続を確立する第１確立手段と、
前記第１無線接続が前記通信装置によって確立されている状態で、前記第２無線接続を確立するための所定の処理を実行する実行手段と、
前記所定の処理が前記通信装置によって実行された場合、前記第２無線接続を確立する第２確立手段と、
前記第２無線接続が前記通信装置によって確立されている状態において、前記通信装置による前記所定の状態での動作が停止されており、且つ前記第２無線接続が確立される前に確立されていた前記第１無線接続が終了されているように前記通信装置を制御する制御手段と、
を有することを特徴とする。